(57)【要約】【課題】ロータの軸線中心の周方向に並ぶ複数の静翼の中空部に加熱流体を供給し、これら複数の静翼をむらなく加熱することを可能にする蒸気タービンを提供する。【解決手段】軸線Ｏ１周りに回転可能に設けられたロータ１と、蒸気流路Ｒ２を形成するケーシング７と、ロータ１に一体に接続して設けられる複数の動翼４と、ケーシング７に一体に接続して蒸気流路Ｒ２内に設けられる複数の静翼８とを備え、少なくとも一部の静翼８は、中空構造で形成されるともに、その中空部１６と、中空部１６に加熱流体を供給するための加熱流体供給口２１、２３と、中空部１６から加熱流体を排出するための加熱流体排出口２２、２４とからなる加熱流体流通路Ｒ１を備えて形成する。また、軸線Ｏ１を中心とした周方向に並設した複数の前記少なくとも一部の静翼８のそれぞれの加熱流体流通路Ｒ１を流通する加熱流体の圧力損失が略均等になるように構成する。【選択図】図２
2018131936.tif 000002
【特許請求の範囲】
【請求項１】
軸線周りに回転可能に設けられたロータと、前記ロータを囲繞するように配設されて蒸気流路を形成するケーシングと、前記ロータに一体に接続して設けられる複数の動翼と、前記ケーシングに一体に接続して前記蒸気流路内に設けられた複数の静翼とを備え、
少なくとも一部の前記静翼は、中空構造で形成されるともに、その中空部と、前記中空部に加熱流体を供給するための加熱流体供給口と、前記中空部から加熱流体を排出するための加熱流体排出口とからなる加熱流体流通路を備えて形成されており、
前記軸線を中心とした周方向に並設した複数の前記少なくとも一部の静翼のそれぞれの前記加熱流体流通路を流通する加熱流体の圧力損失が略均等になるように構成されている蒸気タービン。
【請求項２】
前記軸線を中心とした周方向に並設した複数の前記少なくとも一部の静翼は、前記加熱流体供給口と前記加熱流体排出口の少なくとも一方の大きさを異にして形成され、前記加熱流体供給口と前記加熱流体排出口の少なくとも一方の大きさの違いによって複数の前記少なくとも一部の静翼のそれぞれの前記加熱流体流通路を流通する加熱流体の圧力損失が略均等になるように構成されている請求項１記載の蒸気タービン。
【請求項３】
前記軸線を中心とした周方向に並設した複数の前記少なくとも一部の静翼は、前記中空部の最小断面積と容積の少なくとも一方の大きさを異にして形成され、前記中空部の最小断面積と容積の少なくとも一方の大きさの違いによって複数の前記少なくとも一部の静翼のそれぞれの前記加熱流体流通路を流通する加熱流体の圧力損失が略均等になるように構成されている請求項１または請求項２に記載の蒸気タービン。
【請求項４】
前記軸線を中心とした周方向に並設した複数の前記少なくとも一部の静翼は、前記軸線よりも上方に配された上半部の複数の静翼と、前記軸線よりも下方に配された下半部の複数の静翼とに区分され、
前記上半部の複数の静翼は、それぞれの加熱流体供給口を通じてそれぞれの中空部が前記軸線中心の周方向に延びた凸円弧状の上半部の外側キャビティに連通するとともに、それぞれの加熱流体排出口を通じてそれぞれの中空部が前記軸線中心の周方向に延びて前記ロータを囲繞するように配された円環状の内側キャビティに連通し、
前記下半部の複数の静翼は、それぞれの加熱流体供給口を通じてそれぞれの中空部が前記内側キャビティに連通するとともに、それぞれの加熱流体排出口を通じてそれぞれの中空部が前記軸線中心の周方向に延びた凹円弧状の下半部の外側キャビティに連通し、
且つ、前記凸円弧状の上半部の外側キャビティの最上部に前記加熱流体を供給する供給元口が設けられるとともに、前記凹円弧状の下半部の外側キャビティの最下部に前記加熱流体を排出する排出元口が設けられており、
前記上半部の複数の静翼は、前記供給元口から離れるほどに前記加熱流体供給口の大きさ、及び／又は前記中空部の最小断面積と容積の少なくとも一方の大きさが大となるように構成され、
前記下半部の複数の静翼は、前記排出元口に近づくほどに前記加熱流体排出口の大きさ、及び／又は前記中空部の最小断面積と容積の少なくとも一方の大きさが小となるように構成されている請求項１から請求項３のいずれか一項に記載の蒸気タービン。
【発明の詳細な説明】
【技術分野】
【０００１】
本発明は、蒸気タービンに関する。
【背景技術】
【０００２】
従来、蒸気タービンプラント（蒸気タービンシステム）は、例えば、ボイラと、ボイラからの蒸気で駆動する蒸気タービン（高圧蒸気タービン、中圧蒸気タービン、低圧蒸気タービンなど）と、各タービンの駆動で発電する発電機と、低圧蒸気タービンから排気された蒸気を水に戻してボイラに供給する復水器と、これら各機器を制御する制御装置とを備えて構成されている。
【０００３】
蒸気タービンは、ロータとステータとを備え、ロータは、軸線方向に軸状に並設された複数のロータディスクと、各ロータディスクの外周から軸線中心の径方向に突出して放射状に配設された複数の動翼とを備えている。
【０００４】
ステータは、ロータを囲繞するように配設され、タービンの内部を外部から区画するケーシング本体及びケーシング本体の内周部に支持されて一体に設けられた翼環からなるケーシングと、複数の静翼とを備えている。
【０００５】
また、一つのロータディスクの複数の動翼とこれに対応する静翼が一つの「段」を構成しており、蒸気タービンには、多数段の動翼、静翼が設けられている。さらに、複数の段は、動翼及び静翼の翼高さ（ロータに略直交する方向の翼の長さ）が蒸気の流通方向上流側から下流側に向かうに従い大きくなるように構成されている。
【０００６】
このように構成した蒸気タービンは、蒸気が軸線方向一端側からケーシング内に供給されて軸線方向他端側に流通するとともに、各段の静翼での圧力降下によって運動エネルギーが生じ、これを動翼によって回転トルクに変換し、ロータを軸線周りに回転させることができる。
【０００７】
ここで、蒸気タービンの内部（ケーシングの内部）では、下流段側ほどエネルギーが減少し、例えば低圧タービンの最終段（最終翼群内部）では湿りが発生する。この蒸気の湿り（水分）は様々な形態で蒸気タービンにエネルギー損失をもたらすだけでなく、水滴となって翼を浸食し、損傷させるおそれがある。特に、静翼表面に付着した粗大な水滴が静翼の後縁部から飛散して動翼に衝突することにより、エネルギーの損失だけでなく動翼の損傷を招くケースがある。
【０００８】
これに対し、静翼を中空構造で形成するとともに中空部に加熱流体を流通させ、加熱流体で静翼を加熱することにより、付着しようとする水分を蒸発させ、静翼の外面に水滴等の水分が付着しないようにする手法が知られている（例えば、特許文献１、特許文献２参照）。
【先行技術文献】
【特許文献】
【０００９】
【特許文献１】特開２０１３−１４８０３９号公報
【特許文献２】特許第３６１７２１２号公報
【発明の概要】
【発明が解決しようとする課題】
【００１０】
しかしながら、上記従来の静翼の中空部に加熱流体を流通させ、静翼の外面に水滴等の水分が付着しないようにする手法においては、一連の流路に加熱流体を供給するとともに、一連の流路に開口した加熱流体供給口から静翼の中空部に加熱流体を供給し、中空部から加熱流体排出口を通じて外部に加熱流体を排出させる。
【００１１】
このとき、一連の流路にそれぞれ開口し、各段の周方向に並ぶ複数の静翼の中空部にそれぞれ加熱流体を供給する複数の加熱流体供給口が同形同大で形成されている。また、複数の静翼の中空部を流通した加熱流体を外部に排出させる複数の加熱流体排出口が同形同大で形成されている。
【００１２】
このため、一連の流路を一方向に流通するとともに各加熱流体供給口から周方向に並ぶ静翼の中空部に順次加熱流体が供給されてゆくことになり、一連の流路を一方向に流通する前記一方向の上流側より下流側の静翼ほど、加熱流体の供給量が少なくなってしまう。すなわち、周方向に並ぶ複数の静翼への加熱流体の供給量にバラつきが生じ、結果として周方向に並ぶ複数の静翼の加熱状態にムラが生じてしまい、静翼の位置によって、外面にそれぞれ付着する水滴などの水分を除去する効率、その効果に差異が生じるという問題があった。
【００１３】
これにより、周方向に並ぶ複数の静翼をむらなく加熱することを可能にする手法の開発が強く望まれていた。
【課題を解決するための手段】
【００１４】
本発明の蒸気タービンは、軸線周りに回転可能に設けられたロータと、前記ロータを囲繞するように配設されて蒸気流路を形成するケーシングと、前記ロータに一体に接続して設けられる複数の動翼と、前記ケーシングに一体に接続して前記蒸気流路内に設けられた複数の静翼とを備え、少なくとも一部の前記静翼は、中空構造で形成されるともに、その中空部と、前記中空部に加熱流体を供給するための加熱流体供給口と、前記中空部から加熱流体を排出するための加熱流体排出口とからなる加熱流体流通路を備えて形成されており、前記軸線を中心とした周方向に並設した複数の前記少なくとも一部の静翼のそれぞれの前記加熱流体流通路を流通する加熱流体の圧力損失が略均等になるように構成されている。
【００１５】
本発明の蒸気タービンにおいて、前記軸線を中心とした周方向に並設した複数の前記少なくとも一部の静翼は、前記加熱流体供給口と前記加熱流体排出口の少なくとも一方の大きさを異にして形成され、前記加熱流体供給口と前記加熱流体排出口の少なくとも一方の大きさの違いによって複数の前記少なくとも一部の静翼のそれぞれの前記加熱流体流通路を流通する加熱流体の圧力損失が略均等になるように構成されていることが望ましい。
【００１６】
本発明の蒸気タービンにおいて、前記軸線を中心とした周方向に並設した複数の前記少なくとも一部の静翼は、前記中空部の最小断面積と容積の少なくとも一方の大きさを異にして形成され、前記中空部の最小断面積と容積の少なくとも一方の大きさの違いによって複数の前記少なくとも一部の静翼のそれぞれの前記加熱流体流通路を流通する加熱流体の圧力損失が略均等になるように構成されていてもよい。
【００１７】
本発明の蒸気タービンにおいて、前記軸線を中心とした周方向に並設した複数の前記少なくとも一部の静翼は、前記軸線よりも上方に配された上半部の複数の静翼と、前記軸線よりも下方に配された下半部の複数の静翼とに区分され、前記上半部の複数の静翼は、それぞれの加熱流体供給口を通じてそれぞれの中空部が前記軸線中心の周方向に延びた凸円弧状の上半部の外側キャビティに連通するとともに、それぞれの加熱流体排出口を通じてそれぞれの中空部が前記軸線中心の周方向に延びて前記ロータを囲繞するように配された円環状の内側キャビティに連通し、前記下半部の複数の静翼は、それぞれの加熱流体供給口を通じてそれぞれの中空部が前記内側キャビティに連通するとともに、それぞれの加熱流体排出口を通じてそれぞれの中空部が前記軸線中心の周方向に延びた凹円弧状の下半部の外側キャビティに連通し、且つ、前記凸円弧状の上半部の外側キャビティの最上部に前記加熱流体を供給する供給元口が設けられるとともに、前記凹円弧状の下半部の外側キャビティの最下部に前記加熱流体を排出する排出元口が設けられており、前記上半部の複数の静翼は、前記供給元口から離れるほどに前記加熱流体供給口の大きさ、及び／又は前記中空部の最小断面積と容積の少なくとも一方の大きさが大となるように構成され、前記下半部の複数の静翼は、前記排出元口に近づくほどに前記加熱流体排出口の大きさ、及び／又は前記中空部の最小断面積と容積の少なくとも一方の大きさが小となるように構成されていることがより望ましい。
【発明の効果】
【００１８】
本発明の蒸気タービンにおいては、軸線中心の周方向に並ぶ複数の静翼の全ての中空部にバランスよく加熱流体を流通させることができる。これにより、従来のように周方向に並ぶ複数の静翼への加熱流体の供給量にバラつきが生じ、その結果として周方向に並ぶ複数の静翼の加熱状態にムラが生じることがなく、複数の静翼の外面にそれぞれ付着する水滴などの水分を、静翼の位置に関わりなく効率的且つ効果的に除去することが可能になる。
【００１９】
よって、本発明の蒸気タービンによれば、周方向に並ぶ複数の静翼をむらなく加熱することができ、静翼の外面に付着する水滴などの水分によるエネルギー損失や、水滴などによって生じる翼の損傷を確実且つ効果的に防止することが可能になる。
【図面の簡単な説明】
【００２０】
【図１】本発明の一実施形態に係る蒸気タービンの一例を示す図である。
【図２】本発明の一実施形態に係る蒸気タービンの静翼及び動翼等を拡大した図であり、軸線に沿う方向の縦断面図である。
【図３】本発明の一実施形態に係る蒸気タービンの静翼を示す図であり、軸線に直交する方向の縦断面図である。
【図４】本発明の一実施形態に係る蒸気タービンの静翼を示す横断面図である。
【図５】本発明の一実施形態に係る蒸気タービンの上半部（ａ）と下半部（ｂ）の加熱流体の流れを示す斜視図である。
【図６】本発明の一実施形態に係る蒸気タービンの上半部と下半部の各セグメントにおける加熱流体供給口、加熱流体排出口の大きさが異なることを示すイメージ図である。
【発明を実施するための形態】
【００２１】
以下、図１から図６を参照し、本発明の一実施形態に係る蒸気タービンについて説明する。
【００２２】
ここで、本実施形態では、本発明に係る蒸気タービンが例えば発電プラントなどの蒸気タービンプラント（蒸気タービンシステム）に具備される蒸気タービンであるものとして説明を行う。
【００２３】
具体的に、このような蒸気タービンプラントは、例えば、ボイラと、ボイラからの蒸気で駆動する蒸気タービン（高圧蒸気タービン、中圧蒸気タービン、低圧蒸気タービン）と、各蒸気タービンの駆動に従動して発電する発電機と、低圧蒸気タービンから排出された蒸気を水に戻してボイラに供給するための復水器と、これら各機器を制御する制御装置とを備えている。
【００２４】
一方、本実施形態の蒸気タービンＡは、図１から図３に示すように、ロータ１とステータ２とを備えて構成されている。
【００２５】
ロータ１は、軸線Ｏ１方向に軸状に並設された複数のロータディスク３と、各ロータディスク３の外周から軸線Ｏ１中心の径方向外側に突出して放射状に配設された複数の動翼４とを備えている。
【００２６】
ステータ２は、ロータ１を囲繞するように配設され、蒸気タービンＡの内部を外部から区画するケーシング本体５及びケーシング本体５の内周部に支持されて一体に設けられた翼環（外環）６からなるケーシング７と、翼環６から径方向内側に突出して放射状に配設されるとともに軸線Ｏ１方向（蒸気Ｐ１の流通方向）に所定の間隔をあけて配設された複数の静翼８とを備えている。
【００２７】
また、一つのロータディスク３に設けられ、周方向に並ぶ複数の動翼４が環状動翼群を構成し、周方向に並ぶ複数の静翼８が環状静翼群を構成する。そして、一つのロータディスク３の複数の動翼４の一つの環状動翼群とこの環状動翼群の蒸気流通方向上流側に隣接する一つの環状静翼群で一つの「段」が構成され、蒸気タービンＡには、多数段の動翼４、静翼８が設けられている。さらに、複数の段は、動翼４及び静翼８の翼高さ（ロータ１に略直交する方向の翼の長さ）が蒸気Ｐ１の流通方向上流側から下流側に向かうに従い大きくなるように構成されている。
【００２８】
翼環６は、ケーシング本体５の内周部に一体に設けられるとともに円周方向に延びて円環状に配設されている。
【００２９】
静翼８は、径方向外側に設けられ、翼環６に静翼８の基端部を溶接などして接続するための外側シュラウド１０と、外側シュラウド１０からロータ１に向かう径方向内側に延びる静翼本体１１と、静翼本体１１の径方向内側（ロータ１側）に一体に設けられた内側シュラウド１２とを備えて形成されている。
【００３０】
環状静翼群の複数の静翼８の外側シュラウド１０はそれぞれ、周方向に向けて延び、翼環６との間に外側キャビティ１３を形成している。これら複数の静翼８の各外側キャビティ１３は、軸線Ｏ１よりも上方の上半部Ｔ１と、軸線Ｏ１よりも下方の下半部Ｔ２とでそれぞれ円周方向に連通し、上半部Ｔ１の外側キャビティ１３ａ（１３）と下半部の外側キャビティ１３ｂ（１３）がそれぞれ凸円弧状、凹円弧状に形成されている。
【００３１】
静翼本体１１は、図４に示すように、例えば、腹側を構成する腹側部材１４と、背側を構成する背側部材１５とを備えて形成されている。また、腹側部材１４と背側部材１５はそれぞれ金属製の板状部材を互いに異なる反り方で湾曲させたものであり、腹側部材１４は、その外面／表面が静翼の腹面となるよう反り加工し、背側部材１５は、その外面／表面が静翼８の背面となるよう反り加工して形成されている。
【００３２】
静翼本体１１は、腹側部材１４と背側部材１５をそれぞれ静翼８の腹側部１７と背側部１８を構成するように組み付け、静翼８の前縁部８ａと後縁部８ｂで腹側部材１４と背側部材１５の端部同士を溶接するなどして形成されている。これにより、静翼８は、その内部（腹側部材１４の内面／裏面と背側部材１５の内面／裏面の間）に、翼高さ方向に沿って延びる中空部１６を備えている。なお、静翼本体１１は、中空部１６を備えていればよく、必ずしも腹側部材１４と背側部材１５を溶接して形成されていなくてもよい。
【００３３】
各静翼８の内側シュラウド１２は、図１から図３に示すように、静翼本体１１の径方向内側（ロータ１側）に一体に取り付けられるとともに、周方向に延びて周方向に並ぶ複数の静翼８の内側シュラウド１２同士が連結して円環状に形成されている。また、内側シュラウド１２の軸線Ｏ１方向の端部にシール部材が取り付けられ、内側シュラウド１２と軸線Ｏ１方向に隣接する動翼４のプラットホームの端部との間がシールされている。
【００３４】
各内側シュラウド１２は、軸線Ｏ１方向に間隔を空け、径方向内側に突出する二つのフランジ１２ａを備え、一方のフランジ１２ａをシールリング保持環１２ｂに嵌合し、他方のフランジ１２ａをリテーナ部材１２ｃを介してシールリング保持環１２ｂに係止して構成されている。なお、シールリング保持環１２ｂは、周方向に連続して環状に形成されており、内周部にシール機構（ラビリンスシール）を一体に設けて構成されている。
【００３５】
各内側シュラウド１２の内側区画壁１２ｄとシールリング保持環１２ｂとリテーナ部材１２ｃとによって、内側キャビティ２０が形成されている。内側キャビティ２０は周方向に延びて周方向に並ぶ複数の静翼８の内側キャビティ２０同士が連結してロータ１を囲繞するように円環状に形成されている。
【００３６】
さらに、本実施形態の蒸気タービンプラントＡにおいては、上半部Ｔ１の一連の外側キャビティ１３と複数の静翼８の中空部１６とが複数の静翼８にそれぞれ対応して形成された複数の加熱流体供給口２１で連通している。また、上半部Ｔ１の複数の静翼８の中空部１６と一連の内側キャビティ２０とが複数の静翼８にそれぞれ対応次して形成された複数の加熱流体排出口２２で連通している。
【００３７】
また、下半部Ｔ２の複数の静翼８の中空部１６と一連の内側キャビティ２０とが複数の静翼８にそれぞれ対応して形成された複数の加熱流体供給口２３で連通し、下半部Ｔ２の一連の外側キャビティ１３と複数の静翼８の中空部１６とが複数の静翼８にそれぞれ対応して形成された複数の加熱流体排出口２４で連通している。
【００３８】
これにより、上半部Ｔ１の一連の外側キャビティ１３に接続した配管（供給元口２５）を通じてケーシング７の外部から上半部Ｔ１の外側キャビティ１３に供給した加熱流体Ｐ２が上半部Ｔ１の複数の加熱流体供給口２１を通じて上半部Ｔ１の複数の静翼８の中空部１６に供給され、上半部Ｔ１の複数の静翼８の中空部１６から一連の内側キャビティ２０に排出される。
【００３９】
さらに、一連の内側キャビティ２０から複数の加熱流体供給口２３を通じて下半部Ｔ２の複数の静翼８の中空部１６に加熱流体Ｐ２が供給され、下半部Ｔ２の複数の静翼８の中空部１６から下半部Ｔ２の一連の外側キャビティ１３に複数の加熱流体排出口２４を通じて排出され、下半部Ｔ２の静翼８の一連の外側キャビティ１３に接続した配管（排出元口２６）を通じてケーシング７の外部に加熱流体Ｐ２が排出される。
【００４０】
さらに、本実施形態では、ケーシング７の外部から上半部Ｔ１の一連の外側キャビティ１３に加熱流体Ｐ２を供給するための配管の接続部、すなわち、加熱流体Ｐ２を供給する供給元口２５が、上半部Ｔ１の外側キャビティ１３／加熱流体流通路Ｒ１の最上部（時計表示で０時（１２時）の位置）に設けられている。また、下半部Ｔ２の一連の外側キャビティ１３からケーシング７の外部に加熱流体Ｐ２を排出するための配管の接続部、すなわち、加熱流体Ｐ２を排出する排出元口２６が、下半部Ｔ２の外側キャビティ１３／加熱流体流通路Ｒ１の最下部（時計表示で６時の位置）に設けられている。
【００４１】
一方、本実施形態の蒸気タービンプラントＡは、復水器とボイラを繋ぐ復水ラインの間に、例えば、蒸気タービンの排気との熱交換によって復水器で回収した水を加熱してボイラに給水するための給水加熱器や、蒸気タービンからの蒸気漏出、蒸気タービンへの外部空気の流入を防ぐためのグランドシール蒸気ラインの蒸気の熱及び復水の回収を行うためのグランド蒸気回収復水装置（ＧＳＣ）が設けられている。ボイラには復水器で回収した水だけでなく、外部から水を供給するための給水ラインも接続して具備されている。
【００４２】
このように構成した本実施形態の蒸気タービンプラントＡにおいては、ボイラで水を加熱して生成した蒸気Ｐ１を蒸気タービンＡに供給し、この蒸気Ｐ１が蒸気流路Ｒ２を流通するとともに動翼４ひいてはロータ１を回転させ、発電機で発電を行うことができる。
【００４３】
また、蒸気タービンＡの蒸気流路Ｒ２を流通してロータ１の回転に供された後の蒸気Ｐ１が蒸気流通方向下流側に設けられた蒸気排出口から外部に排出されるとともに復水器に送られ、熱交換によって冷却されて水に戻される。この水が復水器からボイラに送られ、蒸気Ｐ１として蒸気タービンＡに循環給送される。
【００４４】
ここで、蒸気タービンＡの内部（ケーシング７の内部）では、下流段側ほどエネルギーが減少し、例えば低圧蒸気タービンの最終段（最終翼群内部）では湿りが発生する。
【００４５】
これに対し、本実施形態においては、ケーシング７の外部から複数の静翼８の中空部１６に加熱流体Ｐ２を供給し、上半部Ｔ１の静翼８から下半部Ｔ２の静翼８に加熱流体Ｐ２を流通させるように構成されている。加熱流体Ｐ２としては、グランドシール蒸気ラインの蒸気で熱交換して所定の温度に加熱した水や、高圧蒸気タービン、中圧蒸気タービン、低圧蒸気タービンから抽出した蒸気等を用いればよく、特に限定を必要とするものではない。
【００４６】
また、本実施形態の蒸気タービンＡでは、軸線Ｏ１中心の周方向に並ぶ複数の静翼８を、軸線Ｏ１中心の上半部Ｔ１と下半部Ｔ２、さらに軸線Ｏ１を通る上下方向に二分割し、時計表示で０時（１２時）から３時、３時から６時、６時から９時、９時から１２時に相当する４つの領域をそれぞれ１セグメント（計４セグメント：Ｓ１〜Ｓ４）とする。
【００４７】
そして、本実施形態では、各セグメントＳ１〜Ｓ４において、上半部Ｔ１の外側キャビティ１３から上半部Ｔ１の複数の静翼８のそれぞれの中空部１６に流通する加熱流体Ｐ２の時間当たりの流量が略同等となるように、且つ下半部Ｔ２の内側キャビティ２０から下半部Ｔ２の複数の静翼８のそれぞれ中空部１６に流通する加熱流体Ｐ２の時間当たりの流量が略同等となるように構成されている。
【００４８】
言い換えれば、本実施形態の蒸気タービンＡでは、各セグメントＳ１〜Ｓ４において、上半部Ｔ１の外側キャビティ１３から上半部Ｔ１の複数の静翼８のそれぞれの中空部１６に加熱流体Ｐ２が流通する際の圧力損失、下半部Ｔ２の内側キャビティ２０から下半部Ｔ２の複数の静翼８のそれぞれの中空部１６に加熱流体Ｐ２が流通する際の圧力損失が、各セグメントＳ１〜Ｓ４の複数の静翼８で略同等になるように構成されている。
【００４９】
このように上半部Ｔ１と下半部Ｔ２の複数の静翼８の中空部１６を流通する加熱流体Ｐ２の流量や圧力損失を略同等にするために、本実施形態では、図５（図２、図３（Ｍ１部、Ｍ２部）参照）に示すように、各セグメントＳ１〜Ｓ４において、上半部Ｔ１の一連の外側キャビティ１３ひいてはケーシング７の外部から上半部Ｔ１の複数の静翼８の中空部１６にそれぞれ加熱流体Ｐ２を供給するための各静翼８の加熱流体供給口２１を異なる大きさで形成するようにした。
【００５０】
また、下半部Ｔ２の複数の静翼８の中空部１６を流通して下半部Ｔ２の一連の外側キャビティ１３ひいてはケーシング７の外部に加熱流体Ｐ２を排出させるための各静翼８の加熱流体排出口２４を異なる大きさで形成するようにした。
【００５１】
このように各静翼８に設けられた加熱流体供給口２１や加熱流体排出口２４の大きさを調整することにより、蒸気流路Ｒ２内で湿りが発生し、その外面に水滴などの水分が付着しやすい静翼８の中空部１６に好適に加熱流体Ｐ２が供給される。
【００５２】
より具体的に、本実施形態において、上半部Ｔ１のセグメントＳ１、Ｓ２は、上方側から下方側（時計表示で０時から３時、０時（１２時）から９時）に向かうに従い、一連の外側キャビティ１３から複数の静翼８の中空部１６のそれぞれに加熱流体Ｐ２を供給するための加熱流体供給口２１の開口面積が大となるように形成され、複数の静翼８の中空部１６のそれぞれから一連の内側キャビティ２０に加熱流体Ｐ２を排出するための複数の加熱流体排出口２２が同形同大で形成されている。
【００５３】
一方、下半部Ｔ２のセグメントＳ３、Ｓ４は、一連の内側キャビティ２０から複数の静翼８の中空部１６のそれぞれに加熱流体Ｐ２を供給するための加熱流体供給口２３が同形同大で形成されている。これに対し、下半部Ｔ２のセグメントＳ３、Ｓ４は、複数の静翼８の中空部１６のそれぞれから一連の外側キャビティ１３に加熱流体Ｐ２を排出するための加熱流体排出口２４が上方側から下方側（時計表示で３時から６時、９時から６時）に向かうに従い開口面積が小となるように形成されている。
【００５４】
また、本実施形態において、大きさが異なる上半部Ｔ１の複数の加熱流体供給口２１は、図５、図６に示すように、直前の加熱流体供給口２１よりも次（隣）の加熱流体供給口２１が必ず大きくなるようにし、１つのセグメントＳ１、Ｓ２の範囲内で加熱流体供給口２１の面積拡大率の平均が２０％以下となるように設定されている。
なお、時計表示で０時から３時（または０時（１２時）から９時）に向かってＮ個の加熱流体供給口に番号を１から順にＮ番までふり、ｎ番目の加熱流体供給口の面積をＡｎとおくとき、面積拡大率の平均は次の式で表される。
面積拡大率の平均［％］ ＝１／Ｎ×ΣＡｎ×１／Ａｎ×１００−１００（Σはｎ＝１からｎ＝Ｎ−１の総和）
【００５５】
さらに、下半部Ｔ２の複数の加熱流体排出口２４は、直前の加熱流体排出口２４よりも次（隣）の加熱流体排出口２４が必ず小さくなるようにし、１つのセグメントＳ３、Ｓ４の範囲内で加熱流体排出口２４の面積拡大率の平均が２０％以下となるように設定されている。
なお、時計表示で６時から３時(または６時から９時)に向かってＮ個の加熱流体供給口に番号を１から順にＮ番までふり、ｎ番目の加熱流体供給口の面積をＡｎとおくとき、面積拡大率の平均は次の式で表される。
面積拡大率の平均［％］＝１／Ｎ×ΣＡｎ＋１／Ａｎ×１００−１００（Σはｎ＝１からｎ＝Ｎ−１の総和）
【００５６】
そして、上記のように加熱流体流通路Ｒ１を構成した本実施形態の蒸気タービンＡにおいては、図３に示すように、グランドシール蒸気ラインの蒸気で熱交換して所定の温度に加熱した水や、高圧蒸気タービン、中圧蒸気タービン、低圧蒸気タービンから抽出した蒸気等の加熱流体Ｐ２を供給元口２５から供給すると、上半部Ｔ１の凸円弧状の一連の外側キャビティ１３の最上部から左右に且つ下方にそれぞれ加熱流体Ｐ２が流通してゆく。
【００５７】
上半部Ｔ１の最上部から左右のセグメントＳ１、Ｓ２に沿って加熱流体Ｐ２が流通すると、各セグメントＳ１、Ｓ２に形成された加熱流体供給口２１から周方向に並ぶ上半部Ｔ１の複数の静翼８の中空部１６に加熱流体Ｐ２が供給される。
【００５８】
このとき、上半部Ｔ１では、上方側から下方側（時計表示で０時から３時、０時（１２時）から９時）に向かうに従い、一連の外側キャビティ１３から複数の静翼８の中空部１６のそれぞれに加熱流体Ｐ２を供給するための加熱流体供給口２１の開口面積が大となるように形成されている。言い換えれば、供給元口２５に近く、早期に加熱流体Ｐ２が供給される加熱流体供給口２１が小さく形成され、供給元口２５から遠く、前の加熱流体供給口２１に加熱流体Ｐ２が採られて供給圧力が小さくなる加熱流体供給口２１が大きく形成されている。
【００５９】
これにより、加熱流体Ｐ２の供給元口２５からの距離が異なり、加熱流体Ｐ２の供給圧力に違いが生じていても、加熱流体供給口２１の大きさが調整されていることにより、上半部Ｔ１の複数の静翼８の中空部１６にそれぞれ供給される加熱流体Ｐ２の時間当たりの量、圧力損失を略同等にすることができる。
【００６０】
次に、上半部Ｔ１の複数の静翼８の中空部１６から上半部Ｔ１の複数の加熱流体排出口２２２を通じて一連の内側キャビティ２０に加熱流体Ｐ２が排出される。この加熱流体Ｐ２が、下半部Ｔ２の複数の加熱流体供給口２３から下半部Ｔ２の複数の静翼８の中空部１６に供給される。そして、下半部Ｔ２の複数の静翼８の中空部１６から下半部Ｔ２の複数の加熱流体排出口２４を通じて下半部Ｔ２の一連の外側キャビティ１３に加熱流体Ｐ２が排出され、排出元口２６を通じてケーシング７の外部に排出される。
【００６１】
このとき、下半部Ｔ２の複数の加熱流体供給口２３は流通路の長さが小さい一連の内側キャビティ２０に開口して形成されているため、各加熱流体供給口２３における圧力に大きな差異がない。これにより、これら下半部Ｔ２の複数の加熱流体供給口２３が同形同大で形成されていても、下半部Ｔ２の複数の静翼８の中空部１６に略均等に（バランスよく）加熱流体Ｐ２が供給される。
【００６２】
下半部Ｔ２では、上方側から下方側（時計表示で３時から６時、９時から６時）に向かうに従い、複数の静翼８の中空部１６からそれぞれ一連の外側キャビティ１３に加熱流体Ｐ２を排出するための加熱流体排出口２４の開口面積が小となるように形成されている。すなわち、複数の静翼８の中空部１６から排出された加熱流体Ｐ２が合流して圧力が低下し、排出圧力（内側キャビティと外側キャビティの圧力差）が排出元口２６に近い加熱流体排出口２４ほど、その大きさが小さく形成されている。言い換えれば、排出元口２６から遠く、合流する加熱流体Ｐ２が少なく排出圧力が小さくなる加熱流体排出口２４は大きく形成されている。
【００６３】
これにより、加熱流体Ｐ２の排出元口２６からの距離が異なり、加熱流体Ｐ２の排出圧力に違いが生じていても、加熱流体排出口２４の大きさが調整されていることにより、下半部Ｔ２の複数の静翼８の中空部１６からそれぞれ排出される加熱流体Ｐ２、ひいては複数の静翼８の中空部１６を流通する加熱流体Ｐ２の時間当たりの量、圧力損失を略同等にすることができる。
【００６４】
したがって、本実施形態の蒸気タービンＡにおいては、上半部Ｔ１の複数の静翼８、下半部Ｔ２の複数の静翼８の全ての静翼８の中空部１６にバランスよく加熱流体Ｐ２を流通させることができる。これにより、従来のように周方向に並ぶ複数の静翼８への加熱流体Ｐ２の供給量にバラつきが生じ、結果として周方向に並ぶ複数の静翼８の加熱状態にムラが生じることがなく、複数の静翼８の外面にそれぞれ付着する水滴などの水分を、静翼８の位置に関わりなく、効率的且つ効果的に除去することが可能になる。
【００６５】
よって、本実施形態の蒸気タービンＡによれば、周方向に並ぶ複数の静翼８をむらなく加熱することができ、静翼８の外面に付着する水滴などの水分によるエネルギー損失や、水滴などによって生じる翼の損傷を確実且つ効果的に防止することが可能になる。
【００６６】
また、本実施形態の蒸気タービンＡでは、上半部Ｔ１において、直前の加熱流体供給口２１よりも次の加熱流体供給口２１が必ず大きくなるようにし、１つのセグメントＳ１、Ｓ２の範囲内で加熱流体供給口２１の面積拡大率が平均２０％以下となるように設定する。さらに、下半部Ｔ２において、直前の加熱流体排出口２４よりも次の加熱流体排出口２４が必ず小さくなるようにし、１つのセグメントＳ３、Ｓ４の範囲内で加熱流体排出口２４の面積拡大率の平均が２０％以下となるように設定する。
これにより、好適に、周方向に並ぶ複数の静翼８への加熱流体Ｐ２の供給量のバラつきを抑えることができ、且つ周方向に並ぶ複数の静翼８の加熱状態のムラをなくすことが可能になる。
【００６７】
以上、本発明に係る蒸気タービンの一実施形態について説明したが、本発明は上記の一実施形態に限定されるものではなく、その趣旨を逸脱しない範囲で適宜変更可能である。
【００６８】
例えば、本実施形態では、加熱流体供給口２１や加熱流体排出口２４の大きさを大小変化させて複数の静翼８にバランスよく加熱流体Ｐ２が供給されるようにしたが、例えば、図４に示すように、各セグメントＳ１〜Ｓ４の複数の静翼８の中空部１６の大きさ（最小断面積、容積）を大小変化させることより、複数の静翼８にバランスよく加熱流体Ｐ２が供給されるように構成してもよい。この場合においても、複数の静翼８のそれぞれの中空部１６に流通する加熱流体Ｐ２の時間当たりの流量、加熱流体Ｐ２の圧力損失を略同等にする（バランスよくする）ことができ、本実施形態と同様の作用効果を得ることが可能である。
【００６９】
また、本発明に係る蒸気タービンは、あらゆる用途の蒸気タービンに適用可能であり、本発明に係る構成を除き、本実施形態のように限定する必要はない。
【符号の説明】
【００７０】
１      ロータ
２      ステータ
３      ロータディスク
４      動翼
５      ケーシング本体
６      翼環
７      ケーシング
８      静翼
８ａ    前縁部
８ｂ    後縁部
１０    外側シュラウド
１１    静翼本体
１２    内側シュラウド
１２ａ  フランジ
１２ｂ  シールリング保持環
１２ｃ  リテーナ部材
１２ｄ  内側区画壁
１３    外側キャビティ
１４    腹側部材
１５    背側部材
１６    中空部
１７    腹側部
１８    背側部
２０    内側キャビティ
２１    加熱流体供給口
２２    加熱流体排出口
２３    加熱流体供給口
２４    加熱流体排出口
２５    供給元口
２６    排出元口
Ａ      蒸気タービン
Ｏ１    軸線
Ｐ１    蒸気
Ｐ２    加熱流体
Ｔ１    上半部
Ｔ２    下半部
【図１】
2018131936.tif 000003
【図２】
2018131936.tif 000004
【図３】
2018131936.tif 000005
【図４】
2018131936.tif 000006
【図５】
2018131936.tif 000007
【図６】
2018131936.tif 000008